(57)【要約】【課題】過電圧保護回路を提供することを課題とする。【解決手段】過電圧保護回路であって、電圧源とポータブル電子デバイスの間に提供された入力電圧が該ポータブル電子デバイスの許容定格耐電圧を超えないように設計する過電圧保護（ｏｖｅｒｖｏｌｔａｇｅ  ｐｒｏｔｅｃｔｉｏｎ）を提供する。該回路は入力ユニットを通じて該電圧源から発生した入力電圧を受け、該入力電圧が分圧モジュールを通じて分圧電圧を生成することで、電圧安定モジュールが第１のスイッチングユニットを短絡状態、或いは、開路状態に入ることができる第１の制御信号を生成させ、また間接的に第２のスイッチングユニットを該第１のスイッチングユニットと逆の短絡状態、或いは、開路状態に入るよう制御し、該入力電圧が該定格電圧を上回った時、該第２のスイッチングユニットを通じて該入力電圧を該ポータブル電子デバイスに供給停止することで、温度の影響を受けることなく過電圧保護を実現できる。【選択図】図１
2013074786.tif 000002
【特許請求の範囲】
【請求項１】
電圧源とポータブル電子デバイスの間に提供された入力電圧が該ポータブル電子デバイスの許容定格耐電圧を超えないように設計する過電圧保護（ｏｖｅｒｖｏｌｔａｇｅ  ｐｒｏｔｅｃｔｉｏｎ）で、
前記電圧源で生じる前記入力電圧を受けるための入力ユニットと、
前記入力ユニットに接続し、前記入力電圧を分圧電圧に分圧する分圧モジュールと、
前記入力ユニット、及び、前記分圧モジュールに接続し、比較電圧を有し、前記比較電圧と前記分圧電圧の比較結果に基づき第１の制御信号を生成する電圧安定モジュールと、
前記入力ユニット、及び、前記電圧安定モジュールに接続し、また、前記第１の制御信号の制御を通じて対応する第２の制御信号を生成する第１のスイッチングユニットと、
前記入力ユニット、及び、前記第１のスイッチングユニットに接続し、且つ、前記第２の制御信号によって前記入力電圧を前記ポータブル電子デバイスに出力することを制御する第２のスイッチングユニットとを、含み、    前記入力電圧が安定化電圧を上回った時、前記電圧安定モジュールは前記第１のスイッチングユニットの制御によって前記第２のスイッチングユニットを制御することで、前記第２のスイッチングユニットを通じた前記入力電圧の出力を停止することを特徴とする過電圧保護回路。
【請求項２】
前記第１の制御信号と前記第２の制御信号は、前記第１のスイッチングユニットと前記第２のスイッチングユニットがそれぞれ開路状態と短絡状態に入ることを逆に制御することを特徴とする請求項１に記載の過電圧保護回路。
【請求項３】
前記電圧安定モジュールの前記比較結果は、前記分圧電圧が前記比較電圧を上回った時前記第１のスイッチングユニットを短絡状態に入るよう制御する前記第１の制御信号を生成し、或いは、前記分圧電圧は前記比較電圧を下回った時前記第１のスイッチングユニットを開路状態に入るよう制御する前記第１の制御信号を生成することを特徴とする請求項２に記載の過電圧保護回路。
【請求項４】
前記第１のスイッチングユニットが短絡状態になった時、前記入力電圧は前記第１のスイッチングユニットを通じて前記第２のスイッチングユニットを開路状態に入るよう制御する前記第２の制御信号を形成し、又は、前記第１のスイッチングユニットが開路状態になった時、前記第１のスイッチングユニットは前記第２のスイッチングユニットを短絡状態に入るよう制御する前記第２の制御信号を形成することを特徴とする請求項３に記載の過電圧保護回路。
【請求項５】
前記分圧モジュールは、第１の電気抵抗ユニットと第２の電気抵抗ユニットとを含み、前記第１の電気抵抗ユニットと前記第２の電気抵抗ユニットが直列接続し、前記入力電圧が前記第２の電気抵抗ユニットに前記分圧電圧を発生することを特徴とする請求項１に記載の過電圧保護回路。
【請求項６】
前記電圧安定モジュールは、第３の電気抵抗ユニットと比較ユニットと第３のスイッチングユニットとを含み、前記第３の電気抵抗ユニットが前記入力ユニットと前記第３のスイッチングユニットの間に設けられ、また、直列接続方法により前記第３の電気抵抗ユニットと前記第３のスイッチングユニットに接続し、前記比較結果に基づいて前記第３のスイッチングユニットを制御して前記第１の制御信号を生成することを特徴とする請求項１に記載の過電圧保護回路。
【請求項７】
前記分圧電圧が前記比較電圧より小さい時、前記比較ユニットは前記第３のスイッチングユニットを開路状態に入るよう制御し、或いは、前記分圧電圧が該比較電圧に等しい、又は、大きい時、前記比較ユニットが前記スイッチングユニットを短絡状態に入るよう制御することを特徴とする請求項６に記載の過電圧保護回路。
【請求項８】
前記比較ユニットは、分圧電圧側と比較電圧側と比較出力側とを備え、前記分圧端が前記分圧電圧を受け、前記比較電圧側は前記比較電圧と前記比較出力側が前記分圧電圧と前記比較電圧に基づいて出力した前記比較結果を受信することを特徴とする請求項７に記載の過電圧保護回路。
【請求項９】
前記第３のスイッチングユニットは、前記第３の電気抵抗ユニットに接続する第３の入力側と、接地側に接続する第３の出力側と、前記比較出力側に接続する第３の制御側と、を含むことを特徴とする請求項６に記載の過電圧保護回路。
【請求項１０】
前記第１のスイッチングユニットは、前記入力ユニットに接続する第１の入力側と、前記第２のスイッチングユニットに接続する第１の出力側と、前記第３の電気抵抗ユニットと前記第３のスイッチングユニットに接続する第１の制御側と、を含むことを特徴とする請求項９に記載の過電圧保護回路。
【請求項１１】
前記第２のスイッチングユニットは、前記入力ユニットに接続する第２の入力側と、前記ポータブル電子デバイスに接続するための第２の出力側と、前記第１の出力側に接続する第２の制御側と、を含むことを特徴とする請求項１０に記載の過電圧保護回路。
【請求項１２】
前記第１のスイッチングユニット、前記第２のスイッチングユニット、及び、前記第３のスイッチングユニットは、ＭＯＳＦＥＴであることを特徴とする請求項１１に記載の過電圧保護回路。
【請求項１３】
入力電圧を受けるために用いられ、
ポータブル電装置内に設置される内部回路ユニットと、
前記電圧源で生じる前記入力電圧を受けるための入力ユニットと、
前記入力ユニットに接続し、前記入力電圧を分圧電圧に分圧する分圧モジュールと、
前記入力ユニット、及び、前記分圧モジュールに接続し、比較電圧を有し、前記比較電圧と前記分圧電圧の比較結果に基づき第１の制御信号を生成する電圧安定モジュールと、
前記入力ユニット、及び、前記電圧安定モジュールに接続し、また、前記第１の制御信号の制御を通じて対応する第２の制御信号を生成する第１のスイッチングユニットと、
前記入力ユニット、及び、前記第１のスイッチングユニットに接続し、且つ、前記第２の制御信号によって前記入力電圧を前記ポータブル電子デバイスに出力することを制御する第２のスイッチングユニットとを、含み、    前記入力電圧が安定化電圧を上回った時、前記電圧安定モジュールは前記第１のスイッチングユニットの制御によって前記第２のスイッチングユニットを制御することで、前記第２のスイッチングユニットを通じた前記入力電圧の出力を停止することを特徴とする過電圧保護回路を備えるポータブル電子デバイス。
【発明の詳細な説明】
【技術分野】
【０００１】
本発明は、過電圧保護回路に関し、特に、回路の中で温度変化の影響を受けることなく過電圧保護（ｏｖｅｒｖｏｌｔａｇｅ  ｐｒｏｔｅｃｔｉｏｎ）を効果的に行うことができる回路に関する。
【背景技術】
【０００２】
従来の技術において、ポータブル電子デバイスは電源供給用アタプタ（ａｄａｐｔｅｒ）を通じて外部の電圧源に接続できることで、該電圧源から発生した入力電圧を当該アタプタを通じて該ポータブル電子デバイスに供給させることができ、例えば該ポータブル電子デバイスに対し充電或いは電源を供給する。
【０００３】
しかしながら、利用者の身回りにポータブル電子デバイスが増えるにつれ、様々な電源供給用アタプタもこれに伴い増えたことで、往々にしてこれら電源供給用アタプタは異なる電気特性を持ち、例えば異なる定格入力／出力電圧と電流を有する。利用者が間違った規格の電源供給用アタプタを使用すると、直接ポータブル電子デバイスに損傷を与えてしまう。例を挙げると、１台のポータブル電子デバイス内の電池、電子素子と電子回路について、その最大定格耐電圧が１２ボルトであるが、利用者が間違って１２ボルトを上回る電圧を直接該ポータブル電子デバイスに供給した場合、該ポータブル電子デバイス内の電池、電子素子と電子回路が、高圧により破損を受けることで動作できなくなる可能性が非常に大きくなる。
【０００４】
次に、従来の技術において、過電圧保護回路はダイオード、トランジスタ或いは比較ユニットからなる。しかしながら、これら電子素子は周囲温度変化の影響を受けて、特性を変更することにより容易に誤って該過電圧保護を実行してしまう。
【０００５】
そこで、本発明は上記のような従来技術の問題点に鑑みて、過電圧保護回路を提供して解決する。
【発明の概要】
【発明が解決しようとする課題】
【０００６】
本発明の目的は、電圧源とポータブル電子デバイスの間に設置し、該ポータブル電子デバイスが許容定格耐電圧を超える入力電圧の誤使用により破損されることを避けるために用いられる過電圧保護回路を提供することである。
【０００７】
本発明の別の目的は、上記過電圧保護回路により、温度変化の影響を受けない状態で、やはり不適切な該入力電圧が該ポータブル電子デバイスに供給されても安定的且つ効果的に隔離できることである。
【０００８】
さらに、本発明の別の目的は、上記過電圧保護回路により、該分圧モジュールを通じて該ポータブル電子デバイスの定格耐電圧を動的に設定することである。
【課題を解決するための手段】
【０００９】
上述の目的及び他の目的を達成するため、本発明が提供する過電圧保護回路は、電圧源とポータブル電子デバイスの間に提供された入力電圧が該ポータブル電子デバイスの許容定格耐電圧を超えないように設計する過電圧保護（ｏｖｅｒｖｏｌｔａｇｅ  ｐｒｏｔｅｃｔｉｏｎ）であり、該電圧源で生じる該入力電圧を受けるための入力ユニットと、該入力ユニットに接続し、該入力電圧を分圧電圧に分圧する分圧モジュールと、該入力ユニット及び該分圧モジュールに接続し、且つ比較電圧を有し、該比較電圧と該分圧電圧の比較結果に基づき第１の制御信号を生成する電圧安定モジュールと、該入力ユニット及び該電圧安定モジュールに接続し、また該第１の制御信号の制御を通じて対応する第２の制御信号を生成する第１のスイッチングユニットと、該入力ユニット及び該第１のスイッチングユニットに接続し、且つ該第２の制御信号によって該入力電圧を該ポータブル電子デバイスに出力することを制御する第２のスイッチングユニットとを、含む。該入力電圧が安定化電圧を上回った時、該電圧安定モジュールは該第１のスイッチングユニットの制御によって該第２のスイッチングユニットを間接的に制御することで、該第２のスイッチングユニットを通じた該入力電圧の出力を停止する。
【発明の効果】
【００１０】
従来の技術と比較すると、本発明の過電圧保護回路は、簡易な分圧モジュールと電圧安定モジュールを通じて過電圧保護の目的を達成することができる。該電圧安定モジュールは温度変化に対する耐性を持ち、温度の変化により誤制御を起すことはない。その他、該分圧モジュールを通じて簡単に該ポータブル電子デバイスの許容最大定格入力電圧を設定でき、前記設定を通じて該ポータブル電子デバイスが該定格電圧を上回る入力電圧を受けたことによる破損状況に至らないよう確保できる。よって、本発明は低コスト、安定した機能、簡易な回路設計及び低消費電力の効果を持つ。
【図面の簡単な説明】
【００１１】
【図１】本発明の第１の実施例の過電圧保護回路ブロック図である。
【図２】図１内の過電圧保護回路の分圧モジュールを説明する詳細図である。
【図３】図１内の過電圧保護回路の電圧安定ユニットを説明する詳細図である。
【図４】図１内の過電圧保護回路の第１のスイッチングユニットの動作を示す図である。
【図５】図１内の過電圧保護回路の第２のスイッチングユニットの動作を示す図である。
【発明を実施するための形態】
【００１２】
以下、本発明の目的、特徴及び効果を更に明確に分かりやすくするため、具体的実施例を添付図面に基づいて説明する。
【００１３】
（第１の実施例）
本発明第１の実施例の過電圧保護回路を図１を参照しながら説明する。図１において、該過電圧保護回路１０は電圧源２とポータブル電子デバイス４の間に設けられ、入力電圧Ｖｉｎが定格電圧を超えないように過電圧保護を提供するためである。該電圧源２は直流電圧或いは交流電圧を有する該入力電圧Ｖｉｎを生成できる。本発明の一実施例において、該定格電圧は、該ポータブル電子デバイス４が含む内部回路ユニット全体の許容耐電圧とすることができ、該過電圧保護回路で該内部回路ユニットが過電圧による破損から保護させるためである。
【００１４】
次に、該過電圧保護回路１０は入力ユニット１２と分圧モジュール１４と電圧安定モジュール１６と第１のスイッチングユニット１８と第２のスイッチングユニット２０とを含む。該入力ユニット１２は、該電圧源２に接続し、該電圧源２が生成する該入力電圧Ｖｉｎを受けるためである。本発明の一実施例において、該入力ユニット１２は整流回路を備えることができる。該電圧源２は、該入力ユニット１２が該交流電圧を受けた後、該整流回路により直流電圧を有する該入力電圧Ｖｉｎとして整流させることができる。
【００１５】
該分圧モジュール１６は両端を備え、一端が該入力ユニット１２に接続し、他端が接地側ＧＮＤに接続する。上記接続方法を通じて、該入力ユニット１２上の該入力電圧Ｖｉｎは該分圧モジュール１４を通じて対応する分圧電圧Ｖｖｄを生成する。
【００１６】
図２を一緒に参考しながら説明する。図２において、該分圧モジュール１６は第１の電気抵抗ユニットＲ１と第２の電気抵抗ユニットＲ２を直列接続からなることができる。該入力電圧Ｖｉｎは第１の電気抵抗ユニットＲ１と第２の電気抵抗ユニットＲ２を通じて該分圧電圧Ｖｖｄを形成し、また該第１の電気抵抗ユニットＲ１と該第２の電気抵抗ユニットＲ２に第１の分圧電圧降下ＶＲ１と第２の分圧電圧降下ＶＲ２をそれぞれ発生し、該分圧電圧Ｖｖｄは直接該第２の電気抵抗ユニットＲ２上から取り出す。言い換えると、該分圧電圧Ｖｖｄは該第２の分圧電圧降下ＶＲ２に等しいため、該分圧電圧Ｖｖｄ、該入力電圧Ｖｉｎ、該第１の電気抵抗ユニットＲ１及び該第２の電気抵抗ユニットＲ２の間の関係は、以下に表示できる。
【００１７】
【数１】
2013074786.tif 000003
【００１８】
該電圧安定モジュール１６は、該入力ユニット１２と該分圧モジュール１４にそれぞれ接続し、且つ比較電圧Ｖｃｍｐを備え、また該比較電圧と該電圧安定モジュール１６が受けた該分圧電圧Ｖｖｄの比較結果に基づき第１の制御信号ＦＣＳを生成する。
【００１９】
本発明の一実施例において、該分圧電圧Ｖｖｄが該比較電圧Ｖｃｍｐより小さい時、該電圧安定モジュール１６は該第１のスイッチングユニット１８を開路状態に入るよう制御する該第１の制御信号ＦＣＳを生成する。逆に、該分圧電圧Ｖｖｄが該比較電圧Ｖｃｍｐに等しい又は大きい時、該電圧安定モジュール１６は該第１のスイッチングユニット１８を短絡状態に入るよう制御する該第１の制御信号ＦＣＳを生成する。
【００２０】
本発明の一実施例において、前記該電圧安定モジュール１６の詳細内部を説明するブロック図を図３を参照しながら説明する。図３において、該電圧安定モジュールは第３の電気抵抗ユニットＲ３と比較ユニット１６２と第３のスイッチングユニット１６４とを更に含む。該電気抵抗ユニットＲ３は２つの接続端を備え、一端が該入力ユニット１２に接続し、他端が該第３のスイッチングユニット１６４に接続し、つまり該電気抵抗ユニットＲ３が該第３のスイッチングユニット１６４と直列接続する。該比較ユニット１６２は分圧電圧側１６２２と比較電圧側１６２４と比較出力側１６２６とを備える。該分圧電圧側１６２２が該分圧電圧Ｖｖｄを受ける。該比較電圧側１６２４は、該比較電圧Ｖｃｍｐと該比較電圧出力側１６２６が該分圧電圧Ｖｖｄと該比較電圧Ｖｃｍｐに基づいて出力した該比較結果ＣＲを受け取る。該第３のスイッチングユニット１６４は、第３の電気抵抗ユニットＲ３に接続する第３の入力側１６４２と、接地側ＧＮＤに接続する第３の出力側１６４４と、該比較出力側１６２６に接続する第３の制御側１６４６とを含む。更に、該第３のスイッチングユニット１６４は該比較結果ＣＲに基づき該第３のスイッチングユニット１６４を短絡状態にさせることができ、つまり該入力電圧Ｖｉｎが該第３の電気抵抗ユニットＲ３、該第３の入力側１６４２と該第３の出力側１６４４を通じて該接地側ＧＮＤまで接続でき、且つ該入力電圧Ｖｉｎが該電気抵抗ユニット１６２を経由して接地側ＧＮＤまで接続し、また該接地側ＧＮＤの電位がゼロ電位となり、該第３の入力側１６４２に該第１のスイッチングユニット１８を短絡状態に入るよう制御できる該第１の制御信号ＦＣＳを生成させる。若しくは該第３のスイッチングユニット１６４が該比較結果ＣＲに基づき開路状態になり、つまり該入力電圧Ｖｉｎが該第３のスイッチングユニット１６４に流れないようにし、直接該第１のスイッチングユニット１６に出力し、該第３の入力側１６４２に該第１のスイッチングユニット１８を開路状態に入るよう制御できる該第１の制御信号ＦＣＳを生成させることができる。
【００２１】
また図１に戻って参照しながら説明する。該第１のスイッチングユニット１８は該入力ユニット１２と該電圧安定モジュール１６に接続し、また該第１の制御信号ＦＣＳの制御を通じて対応する第２の制御信号ＳＣＳを生成する。更に、該第１のスイッチングユニット１８は、該入力ユニット１２に接続する第１の入力側１８２と、該第２のスイッチングユニット２０に接続する第１の出力側１８４と、該第３の電気抵抗ユニットＲ３と該第３のスイッチングユニット１６４に接続する第１の制御側１８６と、を含む。その他、該第１のスイッチングユニット１８が該第１の制御信号ＦＣＳに基づいて、該第１のスイッチングユニット１８の一端に該第２のスイッチングユニット２０を開路状態と短絡状態に入らせるよう制御できる第２の制御信号ＳＣＳを選択的に生成する。
【００２２】
該第２のスイッチングユニット２０が該入力ユニット２と該第１のスイッチングユニット１８に接続し、且つ該第２の制御信号ＳＣＳを通じて該入力電圧Ｖｉｎを該ポータブル電子デバイス４に出力することを制御する。更に、該第２のスイッチングユニット２０は、該入力電圧Ｖｉｎを受ける第２の入力側２０２と、該ポータブル電子デバイス４に接続する第２の出力側２０４と、該第１のスイッチングユニット１８に接続する第２の制御側２０６と、を含む。
【００２３】
言い換えると、該第１の制御信号ＦＣＳと該第２の制御信号ＳＣＳは該第１のスイッチングユニット１８と該第２のスイッチングユニット２０がそれぞれ開路状態と短絡状態に入るのを逆に制御する。
【００２４】
図１内の該第１のスイッチングユニット１８の詳細回路を図４を一緒に参照しながら説明する。図４において、Ｐ型ＭＯＳＦＥＴを該第１のスイッチングユニット１８の例として説明する。該第１の入力側１８２は該ソース電極側に対応し、該第１の出力側１８４が該ドレーン電極側に対応し、及び該第１の制御側１８６がゲート電極側に対応する。該Ｐ型ＭＯＳＦＥＴの特性はゲート電極側に印加した電圧がソース電極側（或いはドレーン電極側）の電圧より低い時、該ソース電極側と該ドレーン電極側の間に短絡（導通とも呼ばれる）状態になる。逆に、ゲート電極側に印加した電圧がソース電極側（或いはドレーン電極側）の電圧より高い時、該ソース電極側と該ドレーン電極側の間で開路（遮断とも呼ばれる）状態になる。
【００２５】
該第１の制御信号ＦＣＳがゼロ電圧の場合、該第１のソース電極側の電圧が該第１のゲート電極側の電圧より高くなるため、該第１のスイッチングユニット１８の該第１のソース電極側と該第１のドレーン電極側の間に短絡状態になって該入力電圧Ｖｉｎを該第１のソース電極側から入力させ、且つ該第１のドレーン電極側を経由して、該入力電圧Ｖｉｎを出力することで、該第２のスイッチングユニット２０の開路状態に入るよう制御する第２の制御信号ＳＣＳを形成する。及び、該第１の制御信号ＦＣＳが該入力電圧Ｖｉｎの場合、該第１のソース電極側の電圧が該第１のゲート電極側の電圧に等しくなるため、該第１のスイッチングユニット１８の該第１のソース電極側と該第１のドレーン電極側の間に開路的状態になって、該入力電圧Ｖｉｎが該第１のドレーン電極側から該第２の短絡制御信号ＳＣＳを出力させない。この時の該第２の短絡制御信号ＳＣＳはゼロボルト電圧の状態になる。
【００２６】
図１内の該第２のスイッチングユニット２０の詳細回路を図５を一緒に参照しながら説明する。図５において、Ｐ型ＭＯＳＦＥＴを該第２のスイッチングユニット２０の例として説明する。前記第２の入力側２０２が該ソース電極側に対応し、該第２の出力側２０４が該ドレーン電極側に対応し、及び該第２の制御側２０６がゲート電極側に対応する。
【００２７】
該第２のスイッチングユニット２０は第２のゲート電極側と第２のソース電極側と第２のドレーン電極側とを備える。且つ該第２の制御信号ＳＣＳを受信するため、該第２のゲート電極側が該第１のスイッチングユニット１８の該第１のドレーン電極側に接続し、該第２のソース電極側が該入力ユニット１２に接続し、及び該第２のドレーン電極側が該ポータブル電子デバイス４に接続する。
【００２８】
該第２の制御信号ＳＣＳが該入力電圧Ｖｉｎの場合、該第２のスイッチングユニット２０の該第２のソース電極側の電圧が該第２のゲート電極側の電圧に等しくなるため、該第２のスイッチングユニット２０の該第２のソース電極側と該第２のドレーン電極側の間に開路状態になって、該入力電圧Ｖｉｎが該第２のスイッチングユニット２０を通じて該ポータブル電子デバイス４に供給させることができない。及び該第２の制御信号ＳＣＳが該第２のスイッチングユニット２０をゼロボルト電圧にさせた場合、該第２のソース電極側の電圧が該第２のゲート電極側の電圧より高くなるため、該第２のスイッチングユニット２０の該第２のソース電極側と該第１のドレーン電極側の間に短絡的状態になり、該入力電圧Ｖｉｎを該第２のソース電極側から入力させ、且つ該第２のドレーン電極側を経由して該ポータブル電子デバイス４に出力させる。
【００２９】
よって、本発明の過電圧保護回路は、簡易な分圧モジュールと電圧安定モジュールを通じて過電圧保護の目的を達成することができる。該電圧安定モジュールは温度変化に対する耐性を持ち、温度の変化により誤制御を起すことはない。その他、該分圧モジュールを通じて簡単に該ポータブル電子デバイスの許容最大定格入力電圧を設定でき、前記設定を通じて該ポータブル電子デバイスが該定格電圧を上回る入力電圧を受けたことによる破損状況に至らないよう確保できる。よって、本発明は低コスト、安定した機能、簡易な回路設計及び低消費電力の効果を持つ。
【符号の説明】
【００３０】
２          電圧源
４          ポータブル電子デバイス
１０        過電圧保護回路
１２        入力ユニット
１４        分圧モジュール
１６        電圧安定モジュール
１６２            比較ユニット
１６２２    分圧電圧側
１６２４    比較電圧側
１６２６    比較出力側
１６４            第３のスイッチングユニット
１８        第１のスイッチングユニット
１８２            第１の入力側
１８４            第１の出力側
１８６            第１の制御側
２０        第２のスイッチングユニット
２０２            第２の入力側
２０４            第２の出力側
２０６            第２の制御側
Ｖｉｎ            入力電圧
ＧＮＤ            接地側
Ｖｖｄ            分圧電圧
Ｒ１        第１の電気抵抗ユニット
Ｒ２        第２の電気抵抗ユニット
Ｒ３        第３の電気抵抗ユニット
ＶＲ１            第１の分圧電圧降下
ＶＲ２            第２の分圧電圧降下
ＦＣＳ            第１の制御信号
ＳＣＳ            第２の制御信号
Ｖｃｍｐ          比較電圧
ＣＲ        比較結果
【図１】
2013074786.tif 000004
【図２】
2013074786.tif 000005
【図３】
2013074786.tif 000006
【図４】
2013074786.tif 000007
【図５】
2013074786.tif 000008